(57)【要約】【課題】データベースのアップデートをリアルタイムで反映するオンライン広告方法およびこのシステムを提供する。【解決手段】オンラインサービスをユーザに提供する段階と、オンラインサービスで発生した新規コンテンツデータをデータベースにアップデートする段階と、アップデートされた新規コンテンツデータを、オンラインサービスと連係した広告データにリアルタイムで反映する段階とを含むことを特徴とする。【選択図】図１
2008257736.tif 000002
【特許請求の範囲】
【請求項１】
リアルタイム情報を反映するオンライン広告方法であって、
オンラインサービスをユーザに提供する段階と、
前記オンラインサービスで発生した新規コンテンツデータをデータベースにアップデートする段階と、
アップデートされた新規コンテンツデータを、前記オンラインサービスと連係した広告データにリアルタイムで反映する段階と、
を含むことを特徴とするオンライン広告方法。
【請求項２】
オンラインサービスで発生した新規コンテンツデータをデータベースにアップデートする前記段階は、
前記オンラインサービスで発生した新規コンテンツデータを送信する段階と、
前記新規コンテンツデータに対するアップデートの可否を判断する段階と、
前記アップデート判断結果に応じて、前記新規コンテンツデータを前記データベースにアップデートする段階と、
を含むことを特徴とする請求項１に記載のオンライン広告方法。
【請求項３】
前記新規コンテンツデータがアップデートされない場合には、前記オンラインサービスで発生した新規コンテンツデータに対する伝送を再要請する段階をさらに含むことを特徴とする請求項２に記載のオンライン広告方法。
【請求項４】
前記アップデートされた新規コンテンツデータに対する広告露出の可否を決定する段階をさらに含み、
アップデートされた新規コンテンツデータを前記オンラインサービスと連係した広告データにリアルタイムで反映する前記段階は、
前記広告露出の可否の決定に応じて、前記アップデートされた新規コンテンツデータを、前記オンラインサービスと連係した前記広告データにリアルタイムで反映することを特徴とする請求項１に記載のオンライン広告方法。
【請求項５】
前記広告露出の可否が決定されなければ、前記オンラインサービスと連係した広告データをデフォルト広告で露出する段階をさらに含むことを特徴とする請求項４に記載のオンライン広告方法。
【請求項６】
アップデートされた新規コンテンツデータを、前記オンラインサービスと連係した広告データにリアルタイムで反映する前記段階は、
前記アップデートされた新規コンテンツデータが前記広告データと連関した掲示板に対する新規掲示物データである場合に、前記新規掲示物データを前記オンラインサービスと連係した前記広告データにリアルタイムで反映することを特徴とする請求項１に記載のオンライン広告方法。
【請求項７】
アップデートされた新規コンテンツデータを、前記オンラインサービスと連係した広告データにリアルタイムで反映する前記段階は、
前記アップデートされた新規コンテンツデータが前記広告データと連関した使用者製作コンテンツデータである場合に、前記使用者製作コンテンツデータを前記オンラインサービスと連係した前記広告データにリアルタイムで反映することを特徴とする請求項１に記載のオンライン広告方法。
【請求項８】
アップデートされた新規コンテンツデータを、前記オンラインサービスと連係した広告データにリアルタイムで反映する前記段階は、
前記アップデートされた新規コンテンツデータが前記広告データと連関した掲示板に掲示された文章に対する意見登録データである場合に、前記意見登録データを前記オンラインサービスと連係した前記広告データにリアルタイムで反映することを特徴とする請求項１に記載のオンライン広告方法。
【請求項９】
前記広告データは、意見登録機能を含んでおり、
前記意見登録機能によって登録された意見データを前記広告データにリアルタイムで反映する段階をさらに含むことを特徴とする請求項８に記載のオンライン広告方法。
【請求項１０】
請求項１ないし９のいずれか一項のオンライン広告方法を実行させるためのプログラムを記録したコンピュータ読み取り可能な記録媒体。
【請求項１１】
オンラインサービスを提供するオンラインサービス提供部と、
前記オンラインサービスで発生した新規コンテンツデータをデータベースにアップデートするアップデート部と、
アップデートされた新規コンテンツデータが前記オンラインサービスと連係した広告データにリアルタイムで反映されるようにオンライン広告を運営する広告運営部と、
を含むことを特徴とするオンライン広告システム。
【請求項１２】
前記オンラインサービスで発生した新規コンテンツデータを送信するサービスコンテンツ送信部と、
前記新規コンテンツデータに対するアップデートの可否を判断する判断部と、
をさらに含み、
前記アップデート部は、
前記新規コンテンツデータに対するアップデートの可否に応じて、前記新規コンテンツデータを前記データベースにアップデートすることを特徴とする請求項１１に記載のオンライン広告システム。
【請求項１３】
前記判断部は、
前記新規コンテンツデータがアップデートされないと判断した場合、前記オンラインサービスで発生した新規コンテンツデータに対する伝送を前記サービスコンテンツ送信部に再要請することを特徴とする請求項１２に記載のオンライン広告システム。
【請求項１４】
前記アップデートされた新規データに対する広告露出の可否を決定し、前記決定された露出の可否に応じて前記オンライン広告を運営する広告露出決定部、
をさらに含むことを特徴とする請求項１１に記載のオンライン広告システム。
【請求項１５】
前記広告露出決定部は、
前記広告露出の可否が決定されない場合には、前記オンラインサービスと連係した広告データとしてデフォルト広告が露出されるようにすることを特徴とする請求項１４に記載のオンライン広告システム。
【請求項１６】
前記広告運営部は、
前記アップデートされた新規コンテンツデータが前記広告データと連関した掲示板に対する新規掲示物データである場合に、前記新規掲示物データが前記オンラインサービスと連係した前記広告データにリアルタイムで反映されるように、前記オンライン広告を運営することを特徴とする請求項１１に記載のオンライン広告システム。
【請求項１７】
前記広告運営部は、
前記アップデートされた新規コンテンツデータが前記広告データと連関した使用者製作コンテンツデータである場合に、前記使用者製作コンテンツデータが前記オンラインサービスと連係した前記広告データにリアルタイムで反映されるように、前記オンライン広告を運営することを特徴とする請求項１１に記載のオンライン広告システム。
【請求項１８】
前記広告運営部は、
前記アップデートされた新規コンテンツデータが前記広告データと連関した掲示板に掲示された文章に対する意見登録データである場合に、前記意見登録データが前記広告データにリアルタイムで反映されるように、前記オンライン広告を運営することを特徴とする請求項１１に記載のオンライン広告システム。
【請求項１９】
前記広告データは、意見登録機能を含んでおり、
前記広告運営部は、
前記意見登録機能によって登録された意見データが前記オンラインサービスと連係した前記広告データにリアルタイムで反映されるように、前記オンライン広告を運営することを特徴とする請求項１８に記載のオンライン広告システム。
【発明の詳細な説明】
【技術分野】
【０００１】
本発明は、オンライン広告と連係したデータベースのアップデートをリアルタイムで反映するオンライン広告方法及びオンライン広告システムに関し、より詳細には、オンラインサービスで発生した新規コンテンツデータによるデータベースのアップデートを、オンラインサービスと連係した広告データにリアルタイムで反映するオンライン広告方法及びオンライン広告システムに関する。
【背景技術】
【０００２】
ネットワーク、特に、インターネットを用いて商品又はサービスを広告する行為が日常化するに伴い、ポータルサイト（ｐｏｒｔａｌ  ｓｉｔｅ）、ゲームサイトなどの各種ウェブページで、検索サービス、映画サービス、掲示板サービス、使用者製作コンテンツ（ＵＣＣ：Ｕｓｅｒ  Ｃｒｅａｔｅｄ  Ｃｏｎｔｅｎｔｓ）サービスなどの多様なオンラインサービスと連係したオンライン広告方法の提供が一般化している。
【０００３】
従来のオンライン広告方法としては、例えば、ポータル検索サイトを用いてユーザに検索結果が表示される際に、特定の位置にバナー広告を提供するものがある。この広告方法では、ウェブページの所定の位置に広告メッセージや広告イメージなどで構成されたバナーが表示され、このバナーの露出（ｅｘｐｒｅｓｓｉｏｎ）回数や、ユーザによるバナーのクリック（ｃｌｉｃｋ）回数などに基づいて、広告主に課金を実施する方式を採択している。最近では、広告に伴うイメージデータをアニメーションＧＩＦ形式やフラッシュ（ｆｌａｓｈ）形式で生成したり、ジャバ（ｊａｖａ）などのプログラム言語を用いて生成したりすることで、動的なイメージで構成されたバナーを提供できるようになった。しかしながら、従来のポータル検索サービスにおけるオンライン広告方法は、動的なイメージで構成されたバナーであっても、同じイメージが提供されるだけで、ユーザは一度見たバナー広告には関心を示さないため、広告効果を増大させることができないという問題点を抱えている。
【０００４】
従来のオンライン広告サービス方法では、映画サービスにおいて、最新のリリース映画に対する広報映像を含むバナーを提供していた。一般的に、映画サービスを利用するユーザは、単に、最新映画に対するバナーを見て映画を選択するのではなく、最新映画に対する映画評論家の映画評価やネチズン（Ｎｅｔｉｚｅｎ：Ｎｅｔｗｏｒｋ  Ｃｉｔｉｚｅｎの略称）レビューを見て映画を選択するのが大部分である。このため、従来の単純な映画広報映像が含まれたバナーでは、リアルタイムでアップデートされた映画評価やネチズンレビューなどの情報を提供することができないため、ユーザが該当の映画に関心がある場合には、映画評価やネチズンレビューなどを別途直接検索しなければならない煩わしさがあった。
【０００５】
また、従来の他の広告サービス方法として、掲示板サービスと連係してバナーを提供するものがある。この広告サービス方法は、掲示板サービスを用いるために、ユーザが掲示板と連係した特定の位置にバナーを挿入することで、ユーザが掲示板に掲示された文章を確認するときに、挿入されたバナーがユーザに露出されるようになるものである。このような方法では、掲示板確認結果の露出回数や、ユーザがバナー挿入されたウェブページに接続した回数などに基づいて、広告主に課金が実施される方式を採択している。
【０００６】
このようなオンライン広告サービス方法の他にも、多様なオンライン広告サービス方法が用いられているが、広告効果を高めて広告主からの広告受注率を上昇させるために、より多様なオンライン広告サービス方法が考案されている。
【発明の開示】
【発明が解決しようとする課題】
【０００７】
本発明は、前記のような問題点を改善するために案出されたものであって、オンラインサービスで発生した新規データによるデータベースのアップデートを、オンラインサービスと連係した広告データにリアルタイムで反映することができるオンライン広告方法及びオンライン広告システムを提供することを目的とする。
【０００８】
また、本発明は、映画サービスで映画評点の付与、映画評価、ネチズンレビューなどのデータがアップデートされた場合に、アップデートされたデータと連係した広告データに当該アップデートされたデータをリアルタイムで反映することができるオンライン広告方法及びシステムを提供することを他の目的とする。
【０００９】
また、本発明は、使用者製作コンテンツサービスで登録された使用者製作コンテンツを、連関した広告データにリアルタイムで反映することができるオンライン広告方法及びシステムを提供することを他の目的とする。
【００１０】
また、本発明は、掲示板やレス（回答）形態の内容がアップデートされれば、連関した広告データにリアルタイムで露出することができるオンライン広告方法及びシステムを提供することを他の目的とする。
【００１１】
また、本発明は、広告データでレス機能（回答機能）を可能にするオンライン広告方法及びシステムを提供することをさらに他の目的とする。
【課題を解決するための手段】
【００１２】
前記の目的を達成し、従来技術の問題点を解決するために、本発明に係る一実施形態は、オンラインサービスをユーザに提供する段階と、前記オンラインサービスで発生した新規コンテンツデータをデータベースにアップデートする段階と、アップデートされた新規コンテンツデータを、前記オンラインサービスと連係した広告データにリアルタイムで反映する段階とを含むオンライン広告方法を提供する。
【００１３】
また、本発明の他の一実施形態に係るオンライン広告システムは、オンラインサービスを提供するオンラインサービス提供部と、前記オンラインサービスで発生した新規コンテンツデータをデータベースにアップデートするアップデート部と、アップデートされた新規コンテンツデータを、前記オンラインサービスと連係した広告データにリアルタイムで反映されるようにオンライン広告を運営する広告運営部とを含むことを特徴とする。
【発明の効果】
【００１４】
本発明によれば、オンラインサービスで発生した新規データによるデータベースのアップデートを、オンラインサービスと連係した広告データにリアルタイムで反映するオンライン広告方法及びシステムを提供することが可能となる。
【００１５】
また、本発明によれば、映画サービスで映画評点の付与、映画評価、ネチズンレビューなどのデータがアップデートされた場合に、アップデートされたデータと連係した広告データに当該アップデートされたデータをリアルタイムで反映することが可能なオンライン広告方法及びシステムを提供することができる。
【００１６】
また、本発明によれば、使用者製作コンテンツサービスで登録された使用者製作コンテンツを、連関した広告データにリアルタイムで反映するオンライン広告方法及びシステムを提供することができる。
【００１７】
また、本発明によれば、掲示板やレス形態の内容がアップデートされた場合に、連関された広告データにリアルタイムで露出するオンライン広告方法及びシステムを提供することができる。
【００１８】
さらに、本発明によれば、広告データでレス機能を可能にするオンライン広告方法及びシステムを提供することができる。
【発明を実施するための最良の形態】
【００１９】
以下、添付の図面を参照しながら、本発明の実施形態に係るオンライン広告方法及びオンライン広告システムについて詳しく説明する。
【００２０】
図１は、本発明の一実施形態に係るオンライン広告システムの構成を示した図である。
【００２１】
図１に示すように、本発明に係るオンライン広告システム１００は、オンラインサービス提供部１１０と、サービスコンテンツ送信部１２０と、判断部１３０と、アップデート部１４０と、データベース１５０と、広告運営部１６０と、広告送信部１７０と、広告露出決定部１８０とを含む。
【００２２】
オンラインサービス提供部１１０は、Ａサービス１１１、Ｂサービス１１２、Ｃサービス１１３などの各種オンラインサービスを提供する。ここで、オンラインサービスとは、インターネットを介して接続された各種ポータルサイト又はウェブサイト上で提供される各種サービスである。このようなオンラインサービスは、一例として、映画、公演、ゲームなどに対するユーザ評価を提供するサービスである。また、オンラインサービスの他の一例としては、使用者製作コンテンツサービス連係を介して、ユーザが直接製作したコンテンツを露出及び活性化するためのサービスがある。さらにオンラインサービスの他の一例としては、応援メッセージ送信、愛の告白などの掲示板と連係したイベントプロモーションを提供するサービスがある。さらに、オンラインサービスの他の一例としては、証券種類情報、不動産情報、スポーツ中継などのリアルタイムで変動する情報を提供するサービスがある。
【００２３】
サービスコンテンツ送信部１２０は、オンラインサービス提供部１１０で提供される各種オンラインサービスに対する新規コンテンツデータを判断部１３０に送信する。ここで、コンテンツとは、テキスト、動画、写真などの多様な様式を含むことができる。すなわち、サービスコンテンツ送信部１２０は、オンラインサービスで発生した新規コンテンツデータを判断部１３０に送信する。
【００２４】
一例として、オンラインサービス提供部１１０で映画、公演、ゲームなどに対するユーザ評価オンラインサービスが提供されている場合、サービスコンテンツ送信部１２０は、ユーザ評価オンラインサービスで発生した新規コンテンツデータを判断部１３０に送信することができる。
【００２５】
また、他の一例として、オンラインサービス提供部１１０で使用者製作コンテンツ連係オンラインサービスが提供されている場合、サービスコンテンツ送信部１２０は、使用者製作コンテンツ連係オンラインサービスで発生した新規コンテンツデータを判断部１３０に送信することができる。
【００２６】
また、他の一例として、オンラインサービス提供部１１０で応援メッセージ送信、愛の告白などの掲示板と連係したイベントプロモーションオンラインサービスが提供されている場合、サービスコンテンツ送信部１２０は、イベントプロモーションオンラインサービスで発生した新規コンテンツデータを判断部１３０に送信することができる。
【００２７】
さらに、他の一例として、証券種類情報、不動産情報、スポーツ中継などのリアルタイムで変動する情報と連係したオンラインサービスが提供されている場合、サービスコンテンツ送信部１２０は、リアルタイム情報オンラインサービスで発生した新規コンテンツデータを判断部１３０に送信することができる。
【００２８】
判断部１３０は、サービスコンテンツ送信部１２０によって送信された新規コンテンツデータに対するデータベース１５０へのアップデートの可否を判断する。
【００２９】
一例として、ユーザ評価オンラインサービスによる新規コンテンツデータが送信された場合に、判断部１３０は、ユーザ評価オンラインサービスによる新規コンテンツデータに対するアップデートの可否を判断する。
【００３０】
また、他の一例として、使用者製作コンテンツ連係オンラインサービスによる新規コンテンツデータが送信された場合に、判断部１３０は、使用者製作コンテンツ連係オンラインサービスによる新規コンテンツデータに対するアップデートの可否を判断する。
【００３１】
また、他の一例として、イベントプロモーションオンラインサービスによる新規コンテンツデータが送信された場合に、判断部１３０は、イベントプロモーションオンラインサービスによる新規コンテンツデータに対するアップデートの可否を判断する。
【００３２】
さらに、他の一例として、リアルタイム情報オンラインサービスによる新規コンテンツデータが送信された場合に、判断部１３０は、リアルタイム情報オンラインサービスによる新規コンテンツデータに対するアップデートの可否を判断する。
【００３３】
ここで、判断部１３０が新規コンテンツデータをアップデートすると判断した場合、新規コンテンツデータがデータベース１５０にアップデートされるようにアップデート部１４０に要請する。
【００３４】
一例として、判断部１３０がユーザ評価オンラインサービスによる新規コンテンツデータをアップデートすると判断すると、ユーザ評価オンラインサービスによる新規コンテンツデータがデータベース１５０にアップデートされるようにアップデート部１４０に要請する。
【００３５】
また、他の一例として、判断部１３０が使用者製作コンテンツ連係オンラインサービスによる新規コンテンツデータをアップデートすると判断すると、使用者製作コンテンツ連係オンラインサービスによる新規コンテンツデータがデータベース１５０にアップデートされるようにアップデート部１４０に要請する。
【００３６】
また、他の一例として、判断部１３０がイベントプロモーションオンラインサービスによる新規コンテンツデータをアップデートすると判断すると、イベントプロモーションオンラインサービスによる新規コンテンツデータがデータベース１５０にアップデートされるようにアップデート部１４０に要請する。
【００３７】
さらに、他の一例として、判断部１３０がリアルタイム情報オンラインサービスによる新規コンテンツデータをアップデートすると判断すると、リアルタイム情報オンラインサービスによる新規コンテンツデータがデータベース１５０にアップデートされるようにアップデート部１４０に要請する。
【００３８】
一方、判断部１３０が新規コンテンツデータをアップデートしないと判断すると、サービスコンテンツ送信部１２０に、新規コンテンツデータに対する送信を再要請する。
【００３９】
一例として、判断部１３０がユーザ評価オンラインサービスによる新規コンテンツデータをアップデートしないと判断すると、サービスコンテンツ送信部１２０に、ユーザ評価オンラインサービスによる新規コンテンツデータに対する送信を再要請する。
【００４０】
また、他の一例として、判断部１３０が使用者製作コンテンツ連係オンラインサービスによる新規コンテンツデータをアップデートしないと判断すると、サービスコンテンツ送信部１２０に、使用者製作コンテンツ連係オンラインサービスによる新規コンテンツデータに対する送信を再要請する。
【００４１】
また、他の一例として、判断部１３０がイベントプロモーションオンラインサービスによる新規コンテンツデータをアップデートしないと判断すると、サービスコンテンツ送信部１２０に、イベントプロモーションオンラインサービスによる新規コンテンツデータに対する送信を再要請する。
【００４２】
さらに、他の一例として、判断部１３０がリアルタイム情報オンラインサービスによる新規コンテンツデータをアップデートしないと判断すると、サービスコンテンツ送信部１２０に、リアルタイム情報オンラインサービスによる新規コンテンツデータに対する送信を再要請する。
【００４３】
アップデート部１４０は、オンラインサービスで発生した新規データをデータベース１５０にアップデートする。すなわち、アップデート部１４０は、判断部１３０からオンラインサービスによる新規コンテンツデータに対するアップデートの要請を受け、該判断部１３０からの要請に応答して、新規コンテンツデータをデータベース１５０にアップデートする。
【００４４】
一例として、アップデート部１４０は、判断部１３０からのアップデート要請に応答して、ユーザ評価オンラインサービスによる新規コンテンツデータをデータベース１５０にアップデートすることができる。
【００４５】
また、他の一例として、アップデート部１４０は、判断部１３０から使用者製作コンテンツ連係オンラインサービスによる新規コンテンツデータに対するアップデートが要請されると、使用者製作コンテンツ連係オンラインサービスによる新規コンテンツデータをデータベース１５０にアップデートすることができる。
【００４６】
また、他の一例として、アップデート部１４０は、イベントプロモーションオンラインサービスによる新規コンテンツデータに対するアップデートが要請されると、イベントプロモーションオンラインサービスによる新規コンテンツデータをデータベース１５０にアップデートすることができる。
【００４７】
さらに、他の一例として、アップデート部１４０は、リアルタイム情報オンラインサービスによる新規コンテンツデータに対するアップデートが要請されると、リアルタイム情報オンラインサービスによる新規コンテンツデータをデータベース１５０にアップデートすることができる。
【００４８】
データベース１５０は、オンラインサービスと連関した各種データを記録して維持する。すなわち、データベース１５０は、アップデート部１４０によって、オンラインサービスで発生した各種新規コンテンツデータをアップデート（更新及び格納）する。一例として、データベース１５０は、アップデート部１４０によって、ユーザ評価オンラインサービスによる新規コンテンツデータをアップデートすることができる。また、他の一例として、データベース１５０は、アップデート部１４０によって、使用者製作コンテンツ連係オンラインサービスによる新規コンテンツデータをアップデートすることができる。また、他の一例として、データベース１５０は、アップデート部１４０によって、イベントプロモーションオンラインサービスによる新規コンテンツデータをアップデートすることができる。さらに、他の一例として、アップデート部１５０は、アップデート部１４０によって、リアルタイム情報オンラインサービスによる新規コンテンツデータをアップデートすることができる。
【００４９】
広告運営部（advertising management component）１６０は、アップデートされた新規コンテンツデータに対応するオンラインサービスと連関した広告データに、アップデートされた新規コンテンツデータがリアルタイムで反映されるようにオンライン広告を運営（管理）する。すなわち、広告運営部１６０は、アップデートされた新規コンテンツデータを連関した広告データにリアルタイムで反映するために、一定の周期ごとに、データベース１５０に対するアップデート現況を把握（監視）し、アップデートされたデータベース値を読み出し、オンラインサービスと連関した広告データに反映されるようにオンライン広告を運営（管理）する。
【００５０】
図２は、オンラインサービス及びオンライン広告による広告データベースの連動関係を示した図である。
【００５１】
図２に示すように、広告運営システム２１０は、各種オンライン広告を運営する。また、広告露出サーバ２２０は、各種オンラインサービスと連係したオンライン広告を露出し、オンライン広告に対する露出情報に関するフィードバックを受ける。
【００５２】
図２の符号２３０は、広告露出サーバ２２０によってユーザに露出されるオンライン広告の一例を示している。また、符号２３１は、オンライン広告サービスと連係したオンラインサービス情報の一例を示している。また、符号２３２は、オンラインサービスによる掲示文情報の一例を示している。さらに、符号２３３は、オンラインサービスによるイメージの一例を示している。
【００５３】
符号２４０は、オンライン広告を確認したユーザによって符号２３１又は符号２３２の領域がクリックされた場合に、オンライン広告サービスと連係したオンラインサービスが提供されるウェブページの一例を示している。
【００５４】
符号２５０は、オンライン広告を確認したユーザによって符号２３３の領域がクリックされた場合に、オンライン広告サービスに対する広告主のウェブサイトの一例を示している。
【００５５】
ログ処理システム２６０は、オンライン広告による広告の露出数及びクリック数などのログ情報を処理する。また、広告データベース２７０は、オンライン広告と連関した各種データを記録して維持する。
【００５６】
図３は、映画サービスと連係したオンライン広告の一例を示した図である。
【００５７】
図３に示すように、号３１０は、オンラインサービスが映画サービスである場合の一例を示しており、符号３２０は、映画サービスと連係したオンライン広告の一例を示している。
【００５８】
広告運営部１６０は、映画サービスで新規コンテンツデータがアップデートされると、アップデートされた新規コンテンツデータがリアルタイムで映画サービスと連係した広告データに反映されるように、オンライン広告を運営する。一例として、広告運営部１６０は、映画サービスによる新規コンテンツデータがリアルタイムで映画サービスと連係したオンライン広告に反映されるように、一定の周期ごとに、フラッシュバナーを用いて、データベース１５０に記録されたデータベース値を呼び込む方式でオンライン広告を運営することができる。
【００５９】
図４は、使用者製作コンテンツ提供サービスと連係したオンライン広告の一例を示した図である。
【００６０】
図４に示すように、符号４１０は、オンラインサービスが使用者製作コンテンツ提供サービスである場合の一例を示しており、符号４２０は、使用者製作コンテンツ提供サービスと連係したオンライン広告の一例を示している。
【００６１】
広告運営部１６０は、使用者製作コンテンツ提供サービスで新規コンテンツデータがアップデートされると、アップデートされた新規コンテンツデータがリアルタイムで使用者製作コンテンツ提供サービスと連係した広告データに反映されるように、オンライン広告を運営する。一例として、広告運営部１６０は、使用者製作コンテンツ提供サービスによる新規コンテンツデータがリアルタイムで使用者製作コンテンツ提供サービスと連係したオンライン広告に反映されるように、一定の周期ごとに、フラッシュバナーを用いて、データベース１５０に記録されたデータベース値を呼び込む方式でオンライン広告を運営することができる。
【００６２】
図５は、オンライン掲示板サービスと連係したオンライン広告の一例を示した図である。
【００６３】
図５に示すように、符号５１０は、オンラインサービスがオンライン掲示板サービスである場合の一例を示しており、符号５２０は、オンライン掲示板サービスと連係したオンライン広告の一例を示している。
【００６４】
広告運営部１６０は、オンライン広告サービスで新規コンテンツデータがアップデートされれば、アップデートされた新規コンテンツデータがリアルタイムでオンライン掲示板サービスと連係した広告データに反映されるように、オンライン広告を運営する。一例として、広告運営部１６０は、オンライン広告サービスによる新規コンテンツデータがリアルタイムでオンライン掲示板サービスと連係したオンライン広告に反映されるように、一定の周期ごとに、フラッシュバナーを用いて、データベース１５０に記録されたデータベース値を呼び込む方式でオンライン広告を運営することができる。
【００６５】
一方、広告運営部１６０は、広告データに意見登録機能が含まれている場合、当該意見登録機能によって登録された意見データがオンラインサービスと連係した広告データにリアルタイムで反映されるように、オンライン広告を運営することもできる。
【００６６】
広告送信部１７０は、オンラインサービスと連係した広告データに反映される新規コンテンツデータを広告露出決定部１８０に送信する。一例として、広告送信部１７０は、映画サービスと連係した広告データに反映される新規コンテンツデータとして、映画サービスによる映画評価データがアップデートされた場合に、アップデートされた映画評価データを広告露出決定部１８０に送信することができる。また、他の一例として、広告送信部１７０は、使用者製作コンテンツ提供サービスと連係した広告データに反映される新規コンテンツデータとして、使用者製作コンテンツ提供サービスによる使用者製作コンテンツデータがアップデートされた場合に、アップデートされた使用者製作コンテンツデータを広告露出決定部１８０に送信することができる。さらに、他の一例として、広告送信部１７０は、オンライン掲示板サービスと連係した広告データに反映される新規コンテンツデータとして、オンライン掲示板サービスによるレスデータ（回答データ等）がアップデートされた場合に、アップデートされたレスデータを広告露出決定部１８０に送信することができる。
【００６７】
広告露出決定部１８０は、アップデートされた新規コンテンツデータに対する広告露出の可否を決定し、決定された広告露出の可否に応じて、アップデートされた新規コンテンツデータがオンラインサービスと連係した広告データにリアルタイムで反映されるようにする。すなわち、広告露出決定部１８０がアップデートされた新規コンテンツデータに対する広告露出の可否を決定すると、アップデートされた新規コンテンツデータを広告データにリアルタイムで反映する。
【００６８】
一例として、Ａサービス１１１が映画サービスである場合に、広告露出決定部１８０は、映画サービスによってアップデートされた映画評価データに対する広告露出の可否を決定し、決定された広告露出の可否に応じて、アップデートされた映画評価データがＡサービス１１１と連係した広告データにリアルタイムで反映されるようにする。
【００６９】
また、他の一例として、Ｂサービス１１２が使用者製作コンテンツ提供サービスである場合に、広告露出決定部１８０は、使用者製作コンテンツ提供サービスによってアップデートされた使用者製作コンテンツデータに対する広告露出の可否を決定し、決定された広告露出の可否に応じて、アップデートされた使用者製作コンテンツデータがＢサービス１１２と連係した広告データにリアルタイムで反映されるようにする。
【００７０】
さらに、他の一例として、Ｃサービス１１３がオンライン掲示板サービスである場合に、広告露出決定部１８０は、オンライン掲示板サービスによってアップデートされたレスデータに対する広告露出の可否を決定し、決定された広告露出の可否によって、アップデートされたレスデータがＣサービス１１３と連係した広告データにリアルタイムで反映されるようにする。
【００７１】
一方、広告露出決定部１８０がアップデートされた新規コンテンツデータに対する広告露出の可否を決定しない場合、オンラインサービスと連係した広告データとしてデフォルト広告が露出されるようにする。
【００７２】
図６は、本発明の他の実施形態に係るオンライン広告方法を説明するためのフローチャートである。
【００７３】
図６に示すように、段階６１０で、オンラインサービス提供システムは、オンラインサービスをユーザに提供する。すなわち、段階６１０で、オンラインサービス提供システムは、オンラインサービスと連係したオンライン広告をユーザに提供する。
【００７４】
ここで、オンラインサービスとは、インターネットを介して接続された各種ポータルサイト又はウェブサイト上で提供される各種サービスである。オンラインサービスは、一例として、映画、公演、ゲームなどに対するユーザ評価を提供するサービスである。また、オンラインサービスは、他の一例として、使用者製作コンテンツサービス連係を介して、ユーザが直接製作したコンテンツを露出および活性化するためのサービスである。また、オンラインサービスは、他の一例として、応援メッセージ送信、愛の告白などの掲示板と連係したイベントプロモーションを提供するサービスである。さらに、オンラインサービスは、他の一例として、証券種類情報、不動産情報、スポーツ中継などのリアルタイムで変動する情報を提供するサービスである。
【００７５】
段階６２０で、オンラインサービス提供システムは、オンラインサービスで新規コンテンツデータが発生した場合、発生した新規コンテンツデータを受信する。すなわち、段階６２０で、オンラインサービス提供システムは、オンラインサービスによってユーザから入力された新規コンテンツデータを受信する。
【００７６】
段階６３０で、オンラインサービス提供システムは、新規コンテンツデータをデータベースにアップデートする。また、データベースは、オンラインサービスによる各種データ及びオンライン広告による各種データを記録して維持する。以下、図７を参照しながら、オンラインサービスに対する新規コンテンツデータをデータベースにアップデートする方法について、より詳細に説明する。
【００７７】
図７は、新規コンテンツデータをデータベースにアップデートする方法の一例を説明するためのフローチャートである。
【００７８】
図７に示すように、段階７１０で、オンラインサービス提供システムは、オンラインサービスで発生した新規コンテンツデータをオンライン広告システムに送信する。
【００７９】
段階７２０で、オンライン広告システムは、新規コンテンツデータをアップデートするか否かを判断する。すなわち、段階７２０で、オンライン広告システムは、オンラインサービスの広告主、運営者、またはユーザによって設定された新規コンテンツデータに対するアップデート設定の可否に応じて、オンラインサービスによる新規コンテンツデータをアップデートするか否かを判断することができる。
【００８０】
一例として、ユーザ評価オンラインサービスによる新規コンテンツデータが送信された場合に、段階７２０で、オンライン広告システムは、ユーザ評価オンラインサービスによる新規コンテンツデータに対するアップデートの可否を判断する。すなわち、段階７２０で、オンライン広告システムは、ユーザ評価オンラインサービスによる新規コンテンツが送信されれば、ユーザ評価オンラインサービスの広告主、運営者、またはユーザによって設定された新規コンテンツデータに対するアップデート設定の可否に応じて、ユーザ評価オンラインサービスによる新規コンテンツデータをアップデートするか否かを判断することができる。
【００８１】
また、他の一例として、使用者製作コンテンツ連係オンラインサービスによる新規コンテンツデータが送信された場合に、段階７２０で、オンライン広告システムは、使用者製作コンテンツ連係オンラインサービスによる新規コンテンツデータに対するアップデートの可否を判断する。すなわち、段階７２０で、オンライン広告システムは、ユーザ製作コンテンツ連係オンラインサービスによる新規コンテンツが送信されれば、ユーザ製作コンテンツ連係オンラインサービスの広告主、運営者、またはユーザによって設定された新規コンテンツデータに対するアップデート設定の可否に応じて、ユーザ製作コンテンツ連係オンラインサービスによる新規コンテンツデータをアップデートするか否かを判断することができる。
【００８２】
また、他の一例として、イベントプロモーションオンラインサービスによる新規コンテンツデータが送信された場合に、段階７２０で、オンライン広告システムは、イベントプロモーションオンラインサービスによる新規コンテンツデータに対するアップデートの可否を判断する。すなわち、段階７２０で、オンライン広告システムは、イベントプロモーションオンラインサービスによる新規コンテンツが送信されれば、イベントプロモーションオンラインサービスの広告主、運営者、またはユーザによって設定された新規コンテンツデータに対するアップデート設定の可否に応じて、イベントプロモーションオンラインサービスによる新規コンテンツデータをアップデートするか否かを判断することができる。
【００８３】
さらに、他の一例として、リアルタイム情報オンラインサービスによる新規コンテンツデータが送信された場合に、段階７２０で、オンライン広告システムは、リアルタイム情報オンラインサービスによる新規コンテンツデータに対するアップデートの可否を判断する。すなわち、段階７２０で、オンライン広告システムは、リアルタイム情報オンラインサービスによる新規コンテンツが送信されれば、リアルタイム情報オンラインサービスの広告主、運営者、またはユーザによって設定された新規コンテンツデータに対するアップデート設定の可否に応じて、リアルタイム情報オンラインサービスによる新規コンテンツデータをアップデートするか否かを判断することができる。
【００８４】
新規コンテンツデータをアップデートすると判断された場合、段階７３０で、オンライン広告システムは、新規コンテンツデータをデータベースにアップデートする。
【００８５】
一例として、ユーザ評価オンラインサービスによる新規コンテンツデータをアップデートすると判断されると、段階７３０で、オンライン広告システムは、ユーザ評価オンラインサービスによる新規コンテンツデータをデータベースにアップデートする。
【００８６】
また、他の一例として、使用者製作コンテンツ連係オンラインサービスによる新規コンテンツデータをアップデートすると判断されると、段階７３０で、オンライン広告システムは、使用者製作コンテンツ連係オンラインサービスによる新規コンテンツデータをデータベースにアップデートする。
【００８７】
また、他の一例として、イベントプロモーションオンラインサービスによる新規コンテンツデータをアップデートすると判断されると、段階７３０で、オンライン広告システムは、イベントプロモーションオンラインサービスによる新規コンテンツデータをデータベース１５０にアップデートする。
【００８８】
さらに、他の一例として、リアルタイム情報オンラインサービスによる新規コンテンツデータをアップデートすると判断されると、段階７３０で、オンライン広告システムは、リアルタイム情報オンラインサービスによる新規コンテンツデータをデータベースにアップデートする。
【００８９】
一方、新規コンテンツデータをアップデートしないと判断された場合、段階７４０で、オンライン広告システムは、オンラインサービス提供システムに、発生した新規コンテンツデータに対する送信を再要請する。
【００９０】
一例として、ユーザ評価オンラインサービスによる新規コンテンツデータをアップデートしないと判断されると、段階７４０で、オンライン広告システムは、オンラインサービス提供システムに、ユーザ評価オンラインサービスによる新規コンテンツデータに対する送信を再要請する。
【００９１】
また、他の一例として、使用者製作コンテンツ連係オンラインサービスによる新規コンテンツデータをアップデートしないと判断されると、段階７４０で、オンライン広告システムは、オンラインサービス提供システムに、使用者製作コンテンツ連係オンラインサービスによる新規コンテンツデータに対する送信を再要請する。
【００９２】
また、他の一例として、イベントプロモーションオンラインサービスによる新規コンテンツデータをアップデートしないと判断されると、段階７４０で、オンライン広告システムは、オンラインサービス提供システムに、イベントプロモーションオンラインサービスによる新規コンテンツデータに対する送信を再要請する。
【００９３】
さらに、他の一例として、リアルタイム情報オンラインサービスによる新規コンテンツデータをアップデートしないと判断されると、段階７４０で、オンライン広告システムは、オンラインサービス提供システムに、リアルタイム情報オンラインサービスによる新規コンテンツデータに対する送信を再要請する。
【００９４】
段階６４０で、オンライン広告システムは、アップデートされた新規コンテンツデータを、オンラインサービスと連係した広告データにリアルタイムで反映する。すなわち、段階６４０で、オンライン広告システムは、アップデートされた新規コンテンツデータに対する広告露出の可否の決定に応じて、アップデートされた新規コンテンツデータがオンラインサービスと連係した広告データにリアルタイムで反映されるようにする。
【００９５】
以下、図８を参照しながら、アップデートされた新規コンテンツデータを、オンラインサービスと連係した広告データにリアルタイムで反映する方法について、より詳細に説明する。
【００９６】
図８は、アップデートされた新規データを、オンラインサービスと連係した広告データにリアルタイムで反映する方法を説明するためのフローチャートである。
【００９７】
図８に示すように、段階８１０で、オンライン広告システムは、アップデートされた新規コンテンツデータに対する広告露出の可否が決定されたか否かを判断する。すなわち、段階８１０で、オンライン広告システムは、オンラインサービスの広告主、運営者、またはユーザによってアップデートされた新規コンテンツデータに対する広告露出の可否が決定されたか否かを判断することができる
【００９８】
アップデートされた新規コンテンツデータに対する広告露出の可否が決定されると、段階８２０で、オンライン広告システムは、アップデートされた新規コンテンツデータを広告データにリアルタイムで反映する。
【００９９】
一例として、オンラインサービスが映画サービスである場合に、映画サービスによってアップデートされた映画評価データに対する広告露出の可否が決定されると、段階８２０で、オンライン広告システムは、アップデートされた映画評価データが映画サービスと連係した広告データにリアルタイムで反映されるようにする。
【０１００】
また、他の一例として、オンラインサービスが使用者製作コンテンツ提供サービスである場合に、使用者製作コンテンツ提供サービスによってアップデートされた使用者製作コンテンツデータに対する広告露出の可否が決定されると、段階８２０で、オンライン広告システムは、アップデートされた使用者製作コンテンツデータが使用者製作コンテンツ提供サービスと連係した広告データにリアルタイムで反映されるようにする。
【０１０１】
さらに、他の一例として、オンラインサービスがオンライン掲示板サービスである場合に、オンライン掲示板サービスによってアップデートされたレスデータに対する広告露出の可否が決定されると、段階８２０で、オンライン広告システムは、アップデートされたレスデータがオンラインサービスと連係した広告データにリアルタイムで反映されるようにする。
【０１０２】
一方、オンライン広告システムは、広告データ自体に意見登録機能を含ませることもでき、この意見登録機能を通じて登録された意見データを広告データにリアルタイムで反映することもできる。
【０１０３】
アップデートされた新規コンテンツデータに対する広告露出の可否が決定されない場合には、段階８３０で、オンライン広告システムは、オンラインサービスと連係した広告データとしてデフォルト広告が露出されるようにする。
【０１０４】
なお、本発明に係るオンライン広告方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。
【０１０５】
以上、本発明を好ましい実施形態に則して説明したが、本発明の技術分野において熟練した当業者にとっては、特許請求の範囲に記載された本発明の技術的思想及びその領域から逸脱しない範囲内で、本発明を多様に修正及び変更させることができることを理解することができるであろう。すなわち、本発明の技術的範囲は、特許請求の範囲に基づいて定められ、発明を実施するための最良の形態により制限されるものではない。
【図面の簡単な説明】
【０１０６】
【図１】本発明の一実施形態に係るオンライン広告システムの構成を示した図である。
【図２】オンラインサービスおよびオンライン広告による広告データベースの連動関係を示した図である。
【図３】オンライン映画サービスと連係したオンライン広告の一例を示した図である。
【図４】使用者製作コンテンツ提供サービスと連係したオンライン広告の一例を示した図である。
【図５】オンライン掲示板サービスと連係したオンライン広告の一例を示した図である。
【図６】本発明の他の実施形態に係るオンライン広告方法を説明するためのフローチャートである。
【図７】新規コンテンツデータをデータベースにアップデートする方法の一例を説明するためのフローチャートである。
【図８】アップデートされた新規コンテンツデータをオンラインサービスと連係した広告データにリアルタイムで反映する方法を説明するためのフローチャートである。
【符号の説明】
【０１０７】
１００：オンライン広告システム
１１０：オンラインサービス提供部
１２０：サービスコンテンツ送信部
１３０：判断部
１４０：アップデート部
１５０：データベース
１６０：広告運営部
１７０：広告送信部
１８０：広告露出決定部
【図１】
2008257736.tif 000003
【図２】
2008257736.tif 000004
【図３】
2008257736.tif 000005
【図４】
2008257736.tif 000006
【図５】
2008257736.tif 000007
【図６】
2008257736.tif 000008
【図７】
2008257736.tif 000009
【図８】
2008257736.tif 000010